(57)【特許請求の範囲】
【請求項１】
リモコン信号出力装置と、リモコン信号受信装置と、インターネット閲覧装置と、情報サーバ装置と、からなる情報閲覧システムであって、
リモコン信号出力装置は、
リモコン信号出力部と、情報サーバ装置に備えられたポータルページを識別するためのポータルページ識別情報を前記リモコン信号出力部から出力するために保持するポータルページ識別情報保持部と、を有し、
リモコン信号受信装置は、
リモコン信号を受信するリモコン信号受信部と、リモコン信号受信部にて受信したリモコン信号をキーボード信号に変換するキーボード信号変換部と、キーボード信号変換部に備えられ、前記リモコン信号受信部にて受信したポータルページ識別情報をＵＲＬ情報を含むインターネット閲覧装置用のキーボード信号形式のアクセス情報に変換するアクセス情報変換手段と、キーボード信号をインターネット閲覧装置に対して出力するキーボード信号出力部と、を有し、
インターネット閲覧装置は、
インターネット通信をするための通信部と、取得したアクセス情報に基づいて該当するポータルページを閲覧するための閲覧部と、閲覧部と接続されたキーボードインターフェイスと、を有し、
情報サーバ装置は、
前記キーボード信号に基づいてインターネット閲覧装置の閲覧部が他のページにリンクするための情報を含むＨＴＭＬ情報からなるポータルページをインターネット閲覧装置の通信部に対して送信するＨＴＭＬ情報送信部を有し、当該情報サーバ装置は、複数のポータルページを備え、前記ＨＴＭＬ情報送信部から送信されるＨＴＭＬ情報に含まれるリンクするための情報は、前記複数のポータルページのなかのいずれかのポータルページへのリンクをするための情報を含む、情報閲覧システム。
【請求項２】
リモコン信号出力装置は、
ポータルページ識別情報保持部に保持されているポータルページ識別情報を他のポータルページ識別情報に書換え可能な書換部を有する請求項１に記載の情報閲覧システム。
【請求項３】
請求項１又は２に記載のリモコン信号出力装置。
【請求項４】
請求項１に記載のリモコン信号受信装置。
【請求項５】
請求項１に記載のインターネット閲覧装置。
【請求項６】
請求項１に記載の情報サーバ装置。
【請求項７】
リモコン信号出力装置と、リモコン信号受信装置と、インターネット閲覧装置と、情報サーバ装置と、からなる請求項１に記載の情報閲覧システムの動作方法であって、
リモコン信号出力装置に、
リモコン信号を出力させるステップと、
情報サーバ装置に備えられたポータルページを識別するための保持されているポータルページ識別情報を前記リモコン信号出力ステップにて出力するステップと、を実行させ、
リモコン信号受信装置に、
リモコン信号を受信するリモコン信号受信ステップと、
リモコン信号受信ステップにて受信したリモコン信号をキーボード信号に変換するキーボード信号変換ステップと、
前記リモコン信号受信ステップにて受信したポータルページ識別情報をＵＲＬ情報を含むインターネット閲覧装置用のキーボード信号形式のアクセス情報に変換するアクセス情報変換ステップと、
キーボード信号をインターネット閲覧装置に対して出力するキーボード信号出力ステップと、を実行させ、
インターネット閲覧装置に、
インターネット通信をするための通信ステップと、
取得したアクセス情報に基づいて該当するポータルページを閲覧するための閲覧ステップと、を実行させ、
前記情報サーバ装置に、前記キーボード信号に基づいてインターネット閲覧装置の閲覧ステップにおいて他のページにリンクするための情報を含むＨＴＭＬ情報からなるポータルページをインターネット閲覧装置に対して送信するＨＴＭＬ情報送信ステップを実行させ、
前記情報サーバ装置は、複数のポータルページを備え、前記ＨＴＭＬ情報送信ステップから送信されるＨＴＭＬ情報に含まれるリンクするための情報は、前記複数のポータルページのなかのいずれかのポータルページへのリンクをするための情報を含む、情報閲覧システムの動作方法。
【請求項８】
リモコン信号出力装置に保持されているポータルページ識別情報を他のポータルページ識別情報に書換える書換ステップをさらに実行させることを含む請求項７に記載の情報閲覧システムの動作方法。
【発明の詳細な説明】
【技術分野】
【０００１】
本発明は、情報閲覧システムに関する。
【背景技術】
【０００２】
近年インターネットの普及が急速に進んでいる。インターネットで各種の情報を閲覧する場合には、コンピュータ上でマウスなどを操作して画面上のリンク先を示す部分をクリックすることで、各種の情報の閲覧を行っている。また、ブラウザによっては、コンピュータのキーボードの「Ｔａｂ」と刻印されたキーボードを押下することによって各項目を選択することができ、リンクを示す項目に該当した場合には、実行キーを押下することで、リンク先にアクセスして、情報を閲覧することが可能となっている。
【０００３】
しかしながら、リビングなどでテレビを見ながらインターネットを閲覧する場合には、離れた箇所にあるキーボードやマウスをわざわざ操作しなければならず、手間がかかっていた。また、コンピュータの操作に不慣れなユーザはインターネットの閲覧自体に抵抗感を有していた。
【０００４】
これらの問題を解決するために、特許文献１では、テレビのリモートコントローラとほぼ同じリモートコントローラを使用して、インターネットテレビを無線で制御し、簡単に操作できるようにすることを目的にしたインターネットテレビに関する発明が開示されている。特許文献１の発明は、ホームページデータ内に埋め込まれた、ホームページ上の選択項目とリモートコントローラのボタンとを対応付けた定義情報を受信し解釈して、選択項目とリモートコントローラのボタンとの対応表であるボタン割付テーブルを作成し、リモートコントローラのボタン操作に応じて、ボタン割付テーブルを参照して、操作されたボタンに対応する選択項目を決定して実行する構成を有するものである。
【特許文献１】特許第３３５９２３６号公報
【発明の開示】
【発明が解決しようとする課題】
【０００５】
しかしながら、従来技術においては、データが埋め込まれた特殊なホームページをリモートコントローラのボタン操作に応じて閲覧する場合であっても、どのホームページを閲覧するかはユーザの任意事項であり、ホームページを提供する者にとってメリットが得られないため、普及実現性に乏しいという課題がある。
【０００６】
そこで、本発明は、かかる課題に鑑みてなされたものであり、インターネットをリモコン装置からの信号によって閲覧可能にすることで、利用者の利便性を向上させると同時に、最初にアクセスするポータルページを固定化することで、利用者の囲い込みを実現させた情報閲覧システムを提供することを目的とする。
【課題を解決するための手段】
【０００７】
そこで、本発明においては、かかる課題を解決するために、リモコン信号出力装置と、リモコン信号受信装置と、インターネット閲覧装置と、情報サーバ装置と、からなる情報閲覧システムを提供する。リモコン信号出力装置は、リモコン信号出力部と、情報サーバ装置に備えられたポータルページを識別するためのポータルページ識別情報をリモコン信号出力部から出力するために保持するポータルページ識別情報保持部と、を有し、リモコン信号受信装置は、リモコン信号を受信するリモコン信号受信部と、受信したリモコン信号をキーボード信号に変換するキーボード信号変換部と、キーボード信号変換部に備えられ、リモコン信号受信部にて受信したポータルページ識別情報をＵＲＬ情報を含むインターネット閲覧装置用のキーボード信号形式のアクセス情報に変換するアクセス情報変換手段と、キーボード信号をインターネット閲覧装置に対して出力するキーボード信号出力部と、を有し、インターネット閲覧装置は、インターネット通信をするための通信部と、取得したアクセス情報に基づいて該当するポータルページを閲覧するための閲覧部と、閲覧部と接続されたキーボードインターフェイスと、を有し、情報サーバ装置は、キーボード信号に基づいてインターネット閲覧装置の閲覧部が他のページにリンクするための情報を含むＨＴＭＬ情報からなるポータルページをインターネット閲覧装置の通信部に対して送信するＨＴＭＬ情報送信部を有する。また、リモコン信号出力装置は、ポータルページ識別情報保持部に保持されているポータルページ識別情報を他のポータルページ識別情報に書換え可能な書換部を有していてもよい。また、情報サーバ装置は、複数のポータルページを備え、ＨＴＭＬ情報送信部から送信されるＨＴＭＬ情報に含まれるリンクするための情報は、複数のポータルページのなかのいずれかのポータルページへのリンクをするための情報を含んでいてもよい。
【発明の効果】
【０００８】
本発明によれば、リモコン装置からの信号によって、離れた位置からホームページの閲覧が可能になるため、テレビのチャンネルをリモコン装置で切り替えることと同様の感覚でインターネット上の情報を閲覧することができる。また、ユーザがインターネットを閲覧する際に最初にアクセスするポータルページを固定的に制御することができるため、ユーザの囲い込みを実現することができる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。
実施形態１は、主に請求項１、４、５、６、７、８などについて説明する。
実施形態２は、主に請求項２などについて説明する。
実施形態３は、主に請求項３などについて説明する。
【００１１】
<<実施形態１>>
<実施形態１の概要>
本実施形態は、情報閲覧システムに関するものである。
【００１２】
図１は、本実施形態の概念の一例を示す図である。リモコン信号出力装置（０１０１）からはリモコン信号がリモコン信号受信装置（０１０２）に対して出力される。リモコン信号受信装置（０１０２）からは、リモコン信号を変換したキーボード信号がインターネット閲覧装置（０１０３）に対して出力される。そして、インターネット閲覧装置は、受信したキーボード信号に基づいて情報サーバ装置（０１０４）と、情報のやり取りを行う。また、情報サーバ装置（０１０４）からは、インターネット閲覧装置（０１０３）に対して、キーボード信号を利用したホームページ閲覧を可能にするべく、キーボード信号にてアクセス可能な状態となっているホームページに関する情報が送信される。そして、インターネット閲覧装置（０１０３）には、リモコンの操作によってホームページを閲覧し易くするために、例えば１２チャンネル化されたホームページの画面が表示される。
【００１３】
<実施形態１の構成>
図２は、本実施形態の情報閲覧システムの一例を示す機能ブロック図である。図２で示す本実施形態の情報閲覧システム（０２００）は、「リモコン信号出力装置」（０２１０）と、「リモコン信号受信装置」（０２２０）と、「インターネット閲覧装置」（０２３０）と、「情報サーバ装置」（０２４０）と、からなる。
【００１４】
「リモコン信号出力装置」（０２１０）は、「リモコン信号出力部」（０２１１）と、「ポータルページ識別情報保持部」（０２１２）と、を有する。
【００１５】
「リモコン信号受信装置」（０２２０）は、「リモコン信号受信部」（０２２１）と、「キーボード信号変換部」（０２２２）と、「キーボード信号出力部」（０２２３）と、を有する。「キーボード信号変換部」（０２２２）は、「アクセス情報変換手段」（０２２４）を有する。
【００１６】
「インターネット閲覧装置」（０２３０）は、「通信部」（０２３１）と、「閲覧部」（０２３２）と、「キーボードインターフェイス」（０２３３）と、を有する。
【００１７】
「情報サーバ装置」（０２４０）は、「ＨＴＭＬ情報送信部」（０２４１）を有する。
【００１８】
本件発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１９】
<実施形態１の構成の説明>
最初にリモコン信号出力装置（０２１０）の各構成について説明する。なお、本明細書においては、リモコン信号出力装置を、「リモコン装置」と記載する場合もある。
【００２０】
「リモコン信号出力部」（０２１１）は、リモコン信号を出力するものである。「リモコン信号」とは、離れた場所にある機器を制御するための信号である。一例としては、赤外線通信を利用した信号が挙げられる。リモコン信号は、本発明の情報閲覧システムに特化した特別な信号である必要はなく、例えばテレビ、ビデオなどの日常用いているリモコンの信号であっても本実施形態のリモコン信号に該当し得る。リモコン信号は、リモコン信号出力部（０２１１）から後述するリモコン信号受信装置（０２２０）のリモコン信号受信部（０２２１）に対して出力される。
【００２１】
「ポータルページ識別情報保持部」（０２１２）は、情報サーバ装置（０２４０）に備えられたポータルページを識別するためのポータルページ識別情報を前記リモコン信号出力部（０２１１）から出力するために保持する。「情報サーバ装置」については後述する。「ポータルページ」とは、一般的にブラウザがインターネットにアクセスする場合に、最初にアクセスするホームページのことを意味するものであるが、本明細書においては、さらにウェブページの全般のことを示す用語としても使用するものとする。「ポータルページ識別情報」とは、ポータルページを識別するための情報である。なお、ポータルページ識別情報は、必ずしもＵＲＬ（Ｕｎｉｆｏｒｍ  Ｒｅｓｏｕｒｃｅ  Ｌｏｃａｔｏｒ）やＩＰ（Ｉｎｔｅｒｎｅｔ  Ｐｒｏｔｏｃｏｌ）アドレスではなくてもよい。後述する「リモコン信号受信装置」（０２２０）にてポータルページを識別する情報として識別可能な程度の情報であればよい。例えばリモコン信号受信装置（０２２０）が、所定の信号を受信した場合にはポータルページ識別情報とみなすようなルールを保持している場合には、その所定の信号がポータルページ識別情報に該当することになる。図３はリモコン信号出力装置の一例を示す図である。例えば図３の例では、ポータルページ用ボタン「ＨＯＭＥ」（０３０１）を押下した場合に、ポータルページ識別情報をリモコン信号として出力することになる。
【００２２】
このように、リモコン信号出力装置はポータルページに関する情報を保持しているために、利用者はキーボードやマウスなどを用いることなく、リモコン信号出力装置の所定のボタンを一度押下するだけでポータルページに対してアクセスすることが可能となる。また、本実施形態の情報閲覧システム（０２００）は、ユーザが最初にアクセスするポータルページに関する情報をリモコン信号出力装置が保持していることにより、ユーザを所定のポータルページに固定的に導き、囲い込むことが可能となる。なお、ポータルページ識別情報保持部（０２１２）には、複数のポータルページ識別情報が保持されていてもよいし、また、ポータルページ識別情報は、実施形態２で説明するように書換え可能であってもよい。
【００２３】
「リモコン信号出力装置」（０２１０）の一例としては、テレビ、ビデオなどのリモコン装置などが挙げられる。リモコン信号出力装置は、テンキーを有するリモコン装置であることが望ましい。テンキーを有するリモコン装置の場合には、後述するリモコン信号受信装置（０２２０）において、リモコン信号をキーボード信号に変換するための所定のルールなどを共通化することができるからである。また、テンキーを有するリモコン装置の場合には、製造各社のリモコン信号の仕様がほぼ固定されているため、リモコン信号受信装置（０２２０）において、ポータルページ識別情報のリモコン信号の判別を容易に行うことができるからである。また、リモコン信号出力装置（０２０１）は、赤外線通信などの近距離通信に対応している携帯電話であってもよい。赤外線通信に対応している携帯電話は、対応するアプリケーションなどを利用することで、テレビなどの機器に対応した赤外線のリモコン信号を出力することが可能であるからである。なお、リモコン信号出力装置（０２０１）がカメラ付き携帯電話などである場合には、ポータルページ識別情報は、ＱＲコード（登録商標）などを利用して取得して保持されてもよいし、携帯電話用のインターネットサイトから取得して保持されてもよい。
【００２４】
次に「リモコン信号受信装置」（０２２０）の構成について説明する。
【００２５】
「リモコン信号受信部」（０２２１）は、リモコン信号を受信する。受信するリモコン信号は、リモコン信号出力装置（０２１０）のリモコン信号出力部（０２１１）から出力される信号である。なお、リモコン信号受信部（０２２１）は、赤外線などを利用したリモコン信号を受信するための受光素子を有していても良く、受信した信号を復調するための復調回路を有していても良い。
【００２６】
「キーボード信号変換部」（０２２２）は、リモコン信号受信部（０２２１）にて受信したリモコン信号をキーボード信号に変換する。「キーボード信号」とは、例えばキーボードの各ボタンを押下した場合に出力される信号のことであり、キーコードと呼ばれる各キーに対応したキーボードのコードを示す信号のことである。
【００２７】
図４は、キーコードの一例を示す図である。図４に示すように各キーボードにはそれぞれキーコードが付されており、例えば「Ａ」と刻印されているボタンを押下した場合には、キーボードからキーコード「６５」のボタンが押下されたという信号が出力されることになる。また、文字に関するキーだけではなく、例えばキーコード「４０」のように、カーソルキーもキーコードを有しているものである。なお、キーボード信号変換部（０２２２）は、リモコン信号をキーボード信号に変換するための所定のルールを有していてもよい。例えば、携帯電話などのテンキーを利用した文字入力で利用されている変換ルールを利用して、リモコン信号をキーボード信号に変換してもよい。リモコン信号をキーボード信号に変換することで、リモコン信号出力装置及びリモコン信号受信装置を、インターネット閲覧装置の入力装置の代替装置として使用することができる。本実施形態のリモコン信号受信装置（０２０２）は、リモコン信号をキーボード信号に変換することで、後述するポータルページの閲覧を容易に行うことができる。
【００２８】
「アクセス情報変換手段」（０２２４）は、キーボード信号変換部（０２２２）に備えられるものであり、前記リモコン信号受信部（０２２１）にて受信したポータルページ識別情報をＵＲＬ情報を含むインターネット閲覧装置用（０２３０）のキーボード信号形式のアクセス情報に変換する。「ＵＲＬ情報」とは、ＵＲＬに関する情報のことであり、例えば「ｈｔｔｐ：／／ｗｗｗ．ｑｕｉｘｕｎ．ｃｏ．ｊｐ／」といった文字に関する情報のことである。ＵＲＬ情報はＩＰアドレスに関する情報であってもよい。このＵＲＬ情報は、例えばリモコン信号受信装置がポータルページ識別情報と関連付けて保持しているものである。
【００２９】
「キーボード信号形式」とは、例えば図５で示すように、ＵＲＬなどの文字をキーボードで押下した場合に出力されるキーコードを出力する信号形式のことである。「アクセス情報」とは、ＵＲＬ情報の他に所定のキーコードを加えたキーボード形式の信号である。例えばインターネット閲覧装置においてブラウザを立ち上げるために必要な所定のキーボード信号をＵＲＬ情報に加えてもよいし、更にはコマンドを実行するための実行キーに相当するキーボード信号を加えてもよい。具体的な例を、キーボード信号が出力される先のインターネット閲覧装置のＯＳ（Ｏｐｅｒａｔｉｎｇ  Ｓｙｓｔｅｍ）がウィンドウズ（登録商標）である場合を基に図４で示すキーボード信号を例に挙げて説明する。まず、アクセス情報として、スタートメニューを開くためのウィンドウズ（登録商標）キーを押下した場合に出力されるキーボード信号（９１）と、その後「ファイル名を実行してスタート」を行うために、「Ｒ」のキーを押下した場合に出力されるキーボード信号（８２）と、を生成し、続いてＵＲＬ情報を生成する。その後、実行キーを押下した場合に出力されるキーボード信号（１３）を生成する。生成されたアクセス情報は、いずれも各キーコードに対応したキーボード信号形式の情報となっている。このようなキーボード信号形式のアクセス情報を利用することにより、「インターネット閲覧装置」（０２３０）がブラウザを起動して、ポータルページを閲覧することが可能となる。
【００３０】
なお、キーボード信号変換部（０２２２）は、リモコン信号受信部（０２２１）にて受信したリモコン信号がポータルページ識別情報であるか否かを判断する機能を有していてもよい。
【００３１】
「キーボード信号出力部」（０２２３）は、キーボード信号をインターネット閲覧装置（０２３０）に対して出力する。インターネット閲覧装置に対して出力されるキーボード信号には、既に説明したキーボード信号形式のアクセス情報や、あるいは、ポータルページ識別情報以外のリモコン信号を変換したキーボード信号が含まれる。リモコン信号受信装置からインターネット閲覧装置に対してキーボード信号を出力する際には、例えばＵＳＢケーブルなどを介してキーボード信号を出力してもよい。
【００３２】
次に、「インターネット閲覧装置」（０２３０）について説明する。
【００３３】
「通信部」（０２３１）は、インターネット通信をするためのものである。「インターネット通信」とは、個々の通信ネットワークを相互に結んで様々な情報のやり取りを行うことである。一例としては、通信プロトコルであるＴＣＰ／ＩＰを用いて通信を行うことが挙げられる。
【００３４】
「閲覧部」（０２３２）は、取得したアクセス情報に基づいて該当するポータルページを閲覧するためのものである。閲覧部の一例としては、ブラウザが挙げられる。閲覧部が取得するアクセス情報は、キーボードインターフェイス（０２３３）から取得するものである。アクセス情報を利用することでブラウザを起動させ、該当するポータルページを閲覧することが可能となる。既述したように、リモコン信号受信装置（０２２０）から出力されるアクセス情報は、一般的なキーボード信号と何ら変わりはないため、インターネット閲覧装置（０２３０）は特別な機能を追加することなく、ポータルページを閲覧することができる。
【００３５】
「キーボードインターフェイス」（０２３３）は、閲覧部（０２３２）と接続されたものである。「閲覧部と接続」とは、閲覧部がキーボードインターフェイスからのキーボード信号に基づいて、ポータルページを閲覧することが可能であることを示している。後述するように、閲覧しているポータルページが、キーボード信号に基づいてリンク先にアクセスできる情報を有しているため、キーボードインターフェイスからのキーボード信号に基づいてポータルページを閲覧することができる。
【００３６】
次に、「情報サーバ装置」（０２４０）について説明する。
【００３７】
「ＨＴＭＬ情報送信部」（０２４１）は、前記キーボード信号に基づいてインターネット閲覧装置（０２３０）の閲覧部（０２３２）が他のページにリンクするための情報を含むＨＴＭＬ情報からなるポータルページをインターネット閲覧装置（０２３０）の通信部（０２３１）に対して送信する。「ＨＴＭＬ情報」とは、ポータルページを記述するための情報であり、例えばＨＴＭＬ（ＨｙｐｅｒＴｅｘｔ  Ｍａｒｋｕｐ  Ｌａｎｇｕａｇｅ）言語や、ＸＭＬ（ｅＸｔｅｎｓｉｂｌｅ  Ｍａｒｋｕｐ  Ｌａｎｇｕａｇｅ）言語などによって記載されている。
【００３８】
図６は、情報サーバ装置からインターネット閲覧装置の通信部に対して送信されるＨＴＭＬ情報の一例を部分的に示す図である。図中の点線枠で示すようにＨＴＭＬ情報には、キーボード信号に基づいて他のページに対してアクセスするための情報が含まれている。図６では、インターネット閲覧装置に対して、例えばキーコード「５０」がキーボード信号として入力された場合には、インターネット閲覧装置はポータルページ「ｈｔｔｐ：／／ｗｗｗ．ｑｕｉｘｕｎ．ｃｏ．ｊｐ／」に対してアクセスするために、情報サーバ装置に対して情報の要求を行うことになる。このように、情報サーバ装置から送信されるＨＴＭＬ情報には、キーボード信号に基づいて他のページにリンクするための情報が含まれているため、ユーザはリモコン信号出力装置のボタンを押下するだけで、情報を閲覧することができる。また、このようなポータルページを情報サーバ装置（０２４０）が階層的に有している場合には、キーボード信号を次々に押下するだけで、ポータルページを次々に閲覧することが可能となる。なお、情報閲覧システム（０２００）は、複数の情報サーバ装置から構成されていてもよいし、また、情報サーバ装置（０２４０）は、所定のポータルページにアクセスしたユーザを、自動的に別のポータルページに再アクセスさせるような転送サーバの役割を有する装置であってもよい。
【００３９】
このように、情報サーバ装置（０２４０）から送信されるＨＴＭＬ情報には、「キーボード信号」に基づいて閲覧部が他のページに対してアクセスする情報が含まれているものである。従って、他のページにリンクするための情報は、特定のリモコン装置に特化させた情報ではないため、ポータルページを製作する者は既存のキーボード信号に対応したページを作成するだけで、多数のユーザから閲覧してもらうことができる。また、ユーザとしては自身の所有しているリモコン装置と、リモコン信号をキーボード信号に変換させるリモコン受信装置とを利用することで、テレビを視聴する感覚でインターネットを閲覧することが可能となる。さらには、ユーザが最初にアクセスするポータルページは、リモコン装置によって固定的に決定されるため、ポータルページを提供する者はユーザを囲い込むことができる。
【００４０】
なお、情報サーバ装置に備えられたポータルページは、「キーボード信号」に応じてリンクするための情報が含まれているため、リモコン装置からではなく、通常のキーボード装置を押下した場合であってもリンク先のページを閲覧することは可能である。さらには、表示画面上の所定のリンク先をクリックしても、他のページにアクセスすることも可能である。従って、リモコン装置を利用しないユーザであっても当該ポータルページを閲覧することに何ら支障は生じることがないため、ポータルページを提供する側にとってもリモコン装置のユーザに限定することなく当該ポータルページを提供ることができる。また、リモコン装置を利用してユーザが最初にアクセスしたポータルページから、他のページにアクセスする場合には、ポータルページの提供者の管理する範囲内の情報にのみアクセスすることになるため、例えばポータルページの提供者にとって不利な情報を排除することも可能となる。
【００４１】
<実施形態１の具体例>
本実施形態の具体例を、ポータルページの画面表示を基に説明する。
【００４２】
図７は、情報サーバ装置のポータルページをインターネット閲覧装置にて閲覧する場合に表示される画面の一例を示す図である。図７で示すように、画面上には、１から１２までの数字と、閲覧目的に応じた項目とが大きく表示されている。ここでは、分かり易く説明するために、当該画面上の数字は、リモコン装置のボタンに刻印されている数字と対応しているものとして説明を行う。
【００４３】
なお、図７で示すように、各画面に表示されるキーボード信号に対応した数字の個数は１から１２までの個数であることが望ましい。従来からテレビのリモコン装置として使用されているチャンネルボタンの数は１２個であるため、画面に表示される数字が１２個である場合には、ユーザがテレビを視聴する場合と何ら変わりがないために、違和感なくポータルページを閲覧することができるからである。
【００４４】
また、各数字を擬似的にテレビのチャンネルとみなすこともできる。即ち、１２チャンネル毎のリンク先を表すポータルページを階層的に構成した場合には、テレビを視聴する際にチャンネルを次々に切り替えることと同様に、各ポータルページを閲覧することが可能となる。このように、１２チャンネル化した画面は、文字や数字などを大きく表示することが可能となるため、リビングで休息している場合などユーザがインターネット閲覧装置から離れた場所にいる場合であっても、リモコン信号出力装置のボタンを押下するだけで、ポータルページを次々に切り替えることができ、容易にウェブサーフィンを行うことができる。
【００４５】
例えば、図７で示す画面表示がされている場合に、ユーザがショッピングに関する情報を閲覧したいと考えた場合には、リモコン信号出力装置の「４」のボタンを押下すればよい。図７の画面上で「４」は、ショッピングｃｈと表示されており、「４」のボタンを押下した場合にはショッピングに関連したポータルページが表示される。図８は、図７で示す画面表示がされている場合に、「４」のボタンを押下した場合に表示される画面の一例である。図８では、ショッピングに関する情報が細分化され、再び１２チャンネルの画面として表示される。ユーザは、この１２チャンネルの中から所望する情報を閲覧するために、再度リモコン装置のボタンを押下して、目的とする情報を閲覧する。なお、かかる動作はテレビのチャンネルを切り替えることと同様の感覚で行うことができるため、インターネットの操作に不慣れなユーザであっても容易にインターネットの情報を閲覧することが可能となる。
【００４６】
図７の例に戻って説明する。ユーザが天気予報を閲覧したい場合には、リモコン装置の「２」のボタンを押下すればよい。図９は、リモコン信号出力装置の「２」のボタンを押下した場合に表示される画面表示の一例を示す図である。図９で示すように、天気予報の画面を表示する場合であっても、チャンネル化したページを用いることができる。例えば関東地方の天気を閲覧したいユーザは、「１」のボタンを押下すればよい。このように、本実施形態の情報閲覧システムを用いることによって、ユーザはテレビ感覚でポータルページを閲覧することが可能となるため、従来のキーボードとマウスを使用したポータルページの閲覧方法とは、全く異なる閲覧方法を確立することが可能となる。また、ポータルページの提供者にとっては、ユーザが最初にアクセスするポータルページをリモコン装置に応じて固定的に決定することができるため、ポータルページにアクセスするユーザを囲い込むことができる。
【００４７】
本発明は、ユーザに対しては斬新なインターネットの閲覧方法を提供することができ、また、ポータルページの提供者に対してはユーザの囲い込みを実現させることが可能となるため、閲覧者と提供者の双方に大きなメリットが発生する。この結果、情報閲覧システムが飛躍的に普及することが期待でき、従来のインターネットの閲覧概念を覆す斬新なシステムを提供することができる。
【００４８】
<実施形態１の処理の流れ>
図１０は、本実施形態における情報閲覧システムの処理の流れの一例を示す図である。リモコン信号出力装置から、ポータルページ識別情報がリモコン信号受信装置に対して出力される（Ｓ１００１）。ポータルページ識別情報を受け取ったリモコン信号受信装置では、ポータルページ識別情報をアクセス情報に変換し（Ｓ１００２）、キーボード信号としてインターネット閲覧装置に対して出力する（Ｓ１００３）。アクセス情報を受け取ったインターネット閲覧装置は、アクセス情報に基づいて該当するポータルページを閲覧するための要求を情報サーバ装置に送る（Ｓ１００４）。情報サーバ装置からは、閲覧要求をしたインターネット閲覧装置に対してＨＴＭＬ情報を送信する（Ｓ１００５）。ＨＴＭＬ情報を受信したインターネット閲覧装置では、当該ＨＴＭＬ情報からなるポータルページを表示する。
【００４９】
また、当該表示されたポータルページのリンク先のページを閲覧するためには、リモコン信号出力装置から、リモコン信号をリモコン信号受信装置に対して出力する（Ｓ１００６）。リモコン信号受信装置は、受信したリモコン信号をキーボード信号に変換し、キーボード信号をインターネット閲覧装置に対して出力する（Ｓ１００７）。インターネット閲覧装置は、受け取ったキーボード信号と、表示されているポータルページを構成するＨＴＭＬ情報と、に基づいて、他のポータルページを閲覧するための要求を情報サーバ装置に送る（Ｓ１００８）。情報サーバ装置からは、閲覧要求をしたインターネット閲覧装置に対してＨＴＭＬ情報を送信する（Ｓ１００９）。ＨＴＭＬ情報を受信したインターネット閲覧装置では、受信したＨＴＭＬ情報からなるポータルページを表示する。なお、ステップＳ１００８にて要求する先の情報サーバ装置は、ステップＳ１００４にて要求をした情報サーバ装置とは異なる情報サーバ装置であってもよい。
【００５０】
図１１に本実施形態におけるリモコン信号出力装置の処理の流れの一例を示す。リモコン信号出力装置は、出力するリモコンの種別がポータルページ識別情報である場合には、リモコン信号としてポータルページ識別情報を出力する（Ｓ１１０２）。その他の場合には、リモコン信号をそのまま出力する（Ｓ１１０３）。
【００５１】
図１２に本実施形態におけるリモコン信号受信装置の処理の流れの一例を示す。リモコン信号受信装置は、リモコン信号出力装置からリモコン信号を受信する（Ｓ１２０１）。次に、ステップＳ１２０１にて受信したリモコン信号がポータルページ識別情報かを判断する（Ｓ１２０２）。ステップＳ１２０２にて、リモコン信号がポータルページ識別情報であると判断した場合には、ポータルページ識別情報をＵＲＬ情報を含むインターネット閲覧装置用のキーボード信号形式のアクセス情報に変換する（Ｓ１２０３）。ステップＳ１２０２にて、ポータルページ識別情報でないと判断した場合には、リモコン信号をキーボード信号に変換する（Ｓ１２０４）。ステップＳ１２０５においては、ステップＳ１２０３又はステップＳ１２０４にて変換されたキーボード信号を出力する。インターネット閲覧装置と、情報サーバ装置の処理の流れについては図１０で説明したものに付加する点がないため、省略する。
【００５２】
<実施形態１の効果>
本実施形態の情報閲覧システムによれば、リモコン装置からの信号によってインターネット閲覧装置から離れた位置からも容易にポータルページを閲覧することが可能となるため、テレビ放送をリモコン装置で操作することと同様の感覚でポータルページを閲覧することができる。また、ポータルページの提供者に対してはユーザの囲い込みを実現させることが可能となる。従って、閲覧ユーザと提供者の双方に大きなメリットが発生するため、かかる相乗効果によって本発明の情報閲覧システムが飛躍的に普及することが期待でき、従来のインターネットの閲覧概念を覆す斬新なシステムを提供することができる。
【００５３】
<<実施形態２>>
<実施形態２の概要>
本実施形態は、リモコン信号出力装置にて保持されているポータルページ識別情報を他のポータルページ識別情報に書き換えることが可能であることを特徴とする情報閲覧システムに関するものである。
【００５４】
<実施形態２の構成>
図１３は、本実施形態の情報閲覧システムの一例を示す機能ブロック図である。図１３で示す本実施形態の情報閲覧システム（１３００）は、「リモコン信号出力装置」（１３１０）と、「リモコン信号受信装置」（１３２０）と、「インターネット閲覧装置」（１３３０）と、「情報サーバ装置」（１３４０）と、からなる。「リモコン信号出力装置」（１３１０）を除く各構成については実施形態１で説明したものと同様であるため、ここでの説明は省略する。
【００５５】
「リモコン信号受信装置」（１３２０）は、「リモコン信号出力部」（１３１１）と、「ポータルページ識別情報保持部」（１３１２）と、「書換部」（１３１３）を有する。「書換部」（１３１３）を除く各構成については実施形態１で説明したものと同様であるため、ここでの説明は省略する。
【００５６】
<実施形態２の構成の説明>
「書換部」（１３１３）は、ポータルページ識別情報保持部（１３１２）に保持されているポータルページ識別情報を他のポータルページ識別情報に書換え可能なものである。本実施形態の情報閲覧システムは、リモコン信号出力装置（１３１０）が保持しているポータルページ識別情報に基づいて最初に閲覧するポータルページが決定されるため、ポータルページ識別情報を書き換えることでユーザが最初にアクセスするページを変更することができる。このため、例えば特定の企業のポータルページを、ポータルページ識別情報として書換えることにより、当該企業がユーザを取り込むことが可能となる。
【００５７】
図１４を用いて具体的な例を説明する。ここで、情報閲覧システムは複数の情報サーバ装置（Ａ、Ｂ）から構成されているものとし、情報サーバ装置Ａは「ｈｔｔｐ：／／ｗｗｗ．ｑｕｉｘｕｎ．ｃｏ．ｊｐ／」で示される転送サーバ装置であるものとする。また、リモコン信号受信装置からは「ｈｔｔｐ：／／ｗｗｗ．ｑｕｉｘｕｎ．ｃｏ．ｊｐ／１８４４」というＵＲＬ情報を含むアクセス情報がインターネット閲覧装置に出力されたものとする。この場合においてポータルページ識別情報を書き換える例を説明する。まず、転送サーバ装置に関する動作を説明する。インターネット閲覧装置はアクセス情報に基づいて情報サーバ装置Ａに備えられている「ｈｔｔｐ：／／ｗｗｗ．ｑｕｉｘｕｎ．ｃｏ．ｊｐ／１８４４」というポータルページを閲覧しようとするが、当該ページからは、アクセスしたインターネット閲覧装置に対して「ｈｔｔｐ：／／ｗｗｗ．ｍｅｖａｅｌ．ｃｏ．ｊｐ／」のポータルページを表示させる情報が送信される。この結果、ユーザは「ｈｔｔｐ：／／ｗｗｗ．ｍｅｖａｅｌ．ｃｏ．ｊｐ／」のポータルページを閲覧することになる。ここで、ポータルページ識別情報の一部を「１８４５」と書換えた場合には、同様に、「ｈｔｔｐ：／／ｗｗｗ．ｑｕｉｘｕｎ．ｃｏ．ｊｐ／１８４５」というポータルページからの情報に基づいて、「ｈｔｔｐ：／／ｗｗｗ．ｍｅｖａｅｌ．ｃｏ．ｊｐ／」のポータルページを閲覧することになる。このように、ポータルページ識別情報を書き換えることによって、ユーザを他のポータルページへと導くことが可能となるため、ユーザの囲い込みの促進が可能となる。なお、ポータルページ識別情報を書き換える場合には、既に説明したようにＱＲコード（登録商標）などからポータルページ識別情報を取得して、書換えてもよい。
【００５８】
<実施形態２の効果>
本実施形態における情報閲覧システムは、ポータルページ識別情報を、他のポータルページ識別情報に書換え可能であることによって、ユーザの囲い込みの促進が可能となるため、各種の広告効果が期待できる。
【００５９】
<<実施形態３>>
<実施形態３の概要>
本実施形態は、情報サーバ装置が複数のポータルページを有していることを特徴とする情報閲覧システムに関するものである。
【００６０】
<実施形態３の構成>
本実施形態の情報閲覧システムは、「リモコン信号出力装置」と、「リモコン信号受信装置」と、「インターネット閲覧装置」と、「情報サーバ装置」と、からなる。「情報サーバ装置を除く各構成については実施形態１又は２で説明したものと同様であるため、ここでの説明は省略する。
【００６１】
<実施形態３の構成の説明>
本実施形態における「情報サーバ装置」は、実施形態１または２で説明した情報サーバ装置に、さらに複数のポータルページを備えたものである。情報サーバ装置が複数のポータルページを備えていることにより、キーボード信号に基づいてアクセス可能なポータルページを階層的に構成することが可能となる。また、前記ＨＴＭＬ情報送信部から送信されるＨＴＭＬ情報に含まれるリンクするための情報は、前記複数のポータルページのなかのいずれかのポータルページへのリンクをするための情報を含むものである。従って、ポータルページ識別情報に基づいて閲覧したポータルページではなく、キーボード信号に基づいて閲覧したポータルページも、同様にキーボード信号に基づいてアクセスすることが可能であるため、ウェブページを階層的なチャンネル構造にすることができる。
【００６２】
<実施形態３の効果>
本実施形態における情報閲覧システムは、情報サーバ装置が複数のポータルページを備え、当該ポータルページのいずれかのページへリンクするための情報を含んでいることにより、キーボード信号に基づいてアクセスすることが可能なポータルページを階層的に構成することができる。このため、ユーザはリモコン装置のボタンを押すだけで次々とポータルページを切り替えることが可能となるため、インターネットの閲覧を容易に行うことができる。
【図面の簡単な説明】
【００６３】
【図１】実施形態１を説明するための概念図
【図２】実施形態１を説明するための機能ブロック図
【図３】リモコン信号出力装置の一例を示す図
【図４】キーコードを説明するための図
【図５】キーボード信号を説明するための図
【図６】ＨＴＭＬ情報の一例を示す図
【図７】ポータルページの一例を示す第一図
【図８】ポータルページの一例を示す第二図
【図９】ポータルページの一例を示す第三図
【図１０】情報閲覧システムの処理の流れを説明する図
【図１１】リモコン信号出力装置の処理の流れを説明する図
【図１２】リモコン信号受信装置の処理の流れを説明する図
【図１３】実施形態２を説明するための機能ブロック図
【図１４】ポータルページ識別情報の書換えを説明する図
【符号の説明】
【００６４】
０２００    情報閲覧システム
０２１０    リモコン信号出力装置
０２２０    リモコン信号受信装置
０２３０    インターネット閲覧装置
０２４０    情報サーバ装置
【図１】
0004756940.tif 000002
【図２】
0004756940.tif 000003
【図３】
0004756940.tif 000004
【図４】
0004756940.tif 000005
【図５】
0004756940.tif 000006
【図６】
0004756940.tif 000007
【図７】
0004756940.tif 000008
【図８】
0004756940.tif 000009
【図９】
0004756940.tif 000010
【図１０】
0004756940.tif 000011
【図１１】
0004756940.tif 000012
【図１２】
0004756940.tif 000013
【図１３】
0004756940.tif 000014
【図１４】
0004756940.tif 000015